(57)【要約】【課題】薄型化が容易で部品点数の増加も回避できる動電型のスピーカを提供すること。【解決手段】スピーカ４１は、ボイスコイル４４が巻装されたボビン４３の前端部に振動板４５とダンパ４６の各内周部が連結されており、この振動板４５の内周部が外周エッジ部４９よりも前方に位置していると共に、ダンパ４６が振動板４５の前方に配置されている。また、フレーム４７には底板部４７ａの周囲に側壁部４７ｂが立設されており、この側壁部４７ｂから前方へ筒状壁部４７ｃが一体に延設されている。そして、側壁部４７ｂ上のエッジ支持部４７ｄに振動板４５の外周エッジ部４９を固定し、筒状壁部４７ｃ上のダンパ支持部４７ｅにダンパ４６の外周部を固定している。ただし、エッジ支持部４７ｄに比してダンパ支持部４７ｅは径方向外側に配置されている。【選択図】      図１
2005027050.tif 000002
【特許請求の範囲】
【請求項１】
ボビンに巻装されたボイスコイルと、該ボイスコイルが配置される磁気ギャップを有する磁気回路と、内周部が前記ボビンに連結されて前記ボイスコイルへの通電時に駆動される振動板と、該振動板の前方に配置されて前記ボビンに連結されるダンパと、前記磁気回路に固定されて前記振動板の外周部を外周エッジ部を介して支持し、かつ前記ダンパの外周部を支持するフレームとを備え、
前記振動板の内周部が前記外周エッジ部よりも前方に位置すると共に、前記フレームのうち前記外周エッジ部を支持するエッジ支持部に比して、前記ダンパの外周部を支持するダンパ支持部が径方向外側に配置されていることを特徴とするスピーカ。
【請求項２】
請求項１の記載において、前記フレームのうち前記エッジ支持部よりも前方に延出している部分が、該エッジ支持部に比して内径が大なる筒状壁部であり、該筒状壁部に前記ダンパ支持部を設けたことを特徴とするスピーカ。
【請求項３】
請求項１の記載において、前記フレームのうち前記エッジ支持部よりも前方に延出している部分が、先端側が漸次大径となるテーパ状壁部であり、該テーパ状壁部に前記ダンパ支持部を設けたことを特徴とするスピーカ。
【発明の詳細な説明】
【０００１】
【発明の属する技術分野】
本発明は、車載用等に好適な動電型のスピーカに係り、特に、薄型化が容易なスピーカに関する。
【０００２】
【従来の技術】
図３は、従来広く採用されている動電型のスピーカの構成を示す断面図である（例えば、特許文献１参照）。同図に示すスピーカ１は、磁気ギャップＧを有する磁気回路２と、ボビン３に巻装されて磁気ギャップＧ内に配置されたボイスコイル４と、内周部がボビン３の前端部に接着固定された振動板５およびダンパ６と、磁気回路２に固定されて振動板５やダンパ６の外周部を支持しているフレーム７と、磁気ギャップＧの前方を覆っている防塵キャップ８とによって主に構成されている。
【０００３】
磁気回路２はマグネットやヨークを組み合わせて構成されており、この従来例の場合、軸線方向に沿って着磁された円環状のマグネット９と、ポールピース部１０ａを有するヨーク１０と、マグネット９上に載置されてポールピース部１０ａの外周面との間に磁気ギャップＧを形成しているトッププレート１１とによって構成されている。ただし、他の構成の磁気回路、例えば径方向に沿って着磁されたマグネットをヨークのポールピース部の外周面に固設して該マグネットの外周面を磁気ギャップに対向せしめる等の構成も一般的である。円錐状のコーン紙等からなる振動板５は、先端側が漸次大径となるように、つまり外周部が最も前方に位置するように配置されており、この振動板５の外周部が外周エッジ部１２を介してフレーム７の先端部に支持されている。また、ダンパ６の外周部がフレーム７の後端部に支持されているため、振動板５の内周部やボビン３はダンパ６の内周部に支持された状態になっている。
【０００４】
このように構成されたスピーカ１は、図示せぬリード線を介してボイスコイル４に音声電流が通電されると、電磁力によりボイスコイル４が振動するので、ボビン３を介して振動板５が駆動されて振動し、ラジオ音声や各種記録媒体の再生音声などの拡声が行えるようになっている。
【０００５】
しかしながら、上述した従来のスピーカ１は、振動板５がボビン３の前方に配置されている関係上、全体の高さ寸法が磁気回路２の高さ寸法と振動板５の高さ寸法を合算した寸法よりも大きくなってしまい、それゆえ薄型化が促進しにくいという難点があった。
【０００６】
そこで従来、薄型化を容易にするため、図４に示すような動電型のスピーカが提案されている（例えば、特許文献２参照）。同図に示すスピーカ２１は、磁気ギャップＧを有する磁気回路２２と、ボビン２３に巻装されて磁気ギャップＧ内に配置されたボイスコイル２４と、円錐状のコーン紙等からなり先端側が漸次小径となるように配置された振動板２５と、この振動板２５の前方に配置されたダンパ２６と、磁気回路２２に固定されたフレーム２７と、このフレーム２７の側壁部２７ａ上に固定されたカバー２８と、磁気ギャップＧの前方を覆っている防塵キャップ２９とによって主に構成されており、振動板２５の最も前方に位置する内周部とダンパ２６の内周部がボビン２３の前端部に接着固定されている。また、フレーム２７の側壁部２７ａが外周エッジ部３０を介して振動板２５の外周部を支持していると共に、カバー２８の前端部２８ａがダンパ２６の外周部を支持している。
【０００７】
このスピーカ２１の磁気回路２２は、軸線方向に沿って着磁された円環状のマグネット３１と、ポールピース部３２ａを有するヨーク３２と、マグネット３１上に載置されてポールピース部３２ａの外周面との間に磁気ギャップＧを形成しているトッププレート３３とによって構成されているが、他の構成、例えば径方向に沿って着磁されたマグネットをヨークのポールピース部の外周面に固設して該マグネットの外周面を磁気ギャップに対向せしめた磁気回路であってもよい。
【０００８】
このように構成されたスピーカ２１は、振動板２５がボビン２３を包囲するように配置されているため、全体の高さ寸法が著しく薄型化されている。
【０００９】
【特許文献１】
特開平６−３５１０９８号公報（第２頁、図２）
【００１０】
【特許文献２】
特開平４−１１１５９７号公報（第１頁、第３図）
【００１１】
【発明が解決しようとする課題】
前述したように、図４に示す従来のスピーカ２１は、薄型化を図る上で極めて有利であるが、ダンパ２６の外周部を支持するためのカバー２８をフレーム２７に付設しなければならないため、部品点数が増加してコストアップを招来するという問題があった。
【００１２】
本発明は、このような従来技術の実情に鑑みてなされたもので、その目的は、薄型化が容易で部品点数の増加も回避できる動電型のスピーカを提供することにある。
【００１３】
【課題を解決するための手段】
本発明は、振動板の外周エッジ部とダンパの外周部とを共通のフレームに支持させ、その際に、ダンパの外周部を支持するダンパ支持部が外周エッジ部を支持するエッジ支持部よりも径方向外側に位置するようにした。スピーカの構成部品である外周エッジ部とダンパをフレームに対してこのような位置関係で配置すると、ボビンを包囲するように振動板を配置させることができて薄型化が容易であり、かつ、振動板の外周エッジ部とダンパの外周部が共にフレームによって支持されており、ダンパを支持するための専用の部材が不要であることから、部品点数の増加も回避できる。
【００１４】
【発明の実施の形態】
本発明のスピーカでは、ボビンに巻装されたボイスコイルと、該ボイスコイルが配置される磁気ギャップを有する磁気回路と、内周部が前記ボビンに連結されて前記ボイスコイルへの通電時に駆動される振動板と、該振動板の前方に配置されて前記ボビンに直接または振動板を介して連結されるダンパと、前記磁気回路に固定されて前記振動板の外周部を外周エッジ部を介して支持し、かつ前記ダンパの外周部を支持するフレームとを備え、前記振動板の内周部が前記外周エッジ部よりも前方に位置すると共に、前記フレームのうち前記外周エッジ部を支持するエッジ支持部に比して、前記ダンパの外周部を支持するダンパ支持部が径方向外側に配置されるように構成した。
【００１５】
このように構成されたスピーカは、振動板の内周部を外周エッジ部よりも前方に位置させているため、ボビンを包囲するように該振動板を配置させることができて薄型化が容易であり、かつ、外周エッジ部とダンパの外周部が共に同一のフレームによって支持されており、ダンパを支持するための専用の部材が不要であることから、部品点数の増加も回避できる。また、フレームのうち外周エッジ部を支持するエッジ支持部に比して、ダンパの外周部を支持するダンパ支持部が径方向外側に配置されているため、組立時には外周エッジ部とダンパをフレームに対して順次組み込んでいくことができ、組立性も良好となる。
【００１６】
なお、フレームのダンパ支持部をエッジ支持部よりも径方向外側に配置させるための具体的な構成としては、例えば、フレームのうちエッジ支持部よりも前方に延出している部分を、該エッジ支持部に比して内径が大なる筒状壁部となし、該筒状壁部にダンパ支持部を設ければよい。あるいは、フレームのうちエッジ支持部よりも前方に延出している部分を、先端側が漸次大径となるテーパ状壁部となし、該テーパ状壁部にダンパ支持部を設ければよい。
【００１７】
また、ダンパ支持部をエッジ支持部よりも径方向外側に配置させた状態でダンパに所望の剛性を確保するためには、例えば、単位長さ当たりの剛性がやや大きいダンパを使用して該ダンパの径方向の寸法を長くしてもよいし、口径の大きなボビンを使用してダンパの内周部の位置を径方向外側へずらしてもよい。
【００１８】
【実施例】
実施例について図面を参照して説明すると、図１は本発明の第１実施例に係るスピーカの断面図である。
【００１９】
図１に示すスピーカ４１は、磁気ギャップＧを有する磁気回路４２と、円筒状のボビン４３に巻装されて磁気ギャップＧ内に配置されたボイスコイル４４と、円錐状のコーン紙等からなり先端側が漸次小径となるように形成された振動板４５と、この振動板４５の前方（図示上方）に配置されたダンパ４６と、略円板状の底板部４７ａが磁気回路４２に固定されたフレーム４７と、磁気ギャップＧの前方を覆っている防塵キャップ４８とによって主に構成されており、振動板４５の最も前方に位置する内周部とダンパ４６の内周部とはいずれもボビン４３の前端部に接着固定されている。
【００２０】
フレーム４７の底板部４７ａの周囲には肉厚な側壁部４７ｂが立設されており、この側壁部４７ｂの前方側端部からさらに前方へ向かって該側壁部４７ｂよりも薄肉の筒状壁部４７ｃが一体に延設されている。側壁部４７ｂの内面と筒状壁部４７ｃの内面との間の段部（エッジ支持部）４７ｄには、振動板４５の外周縁に固着された外周エッジ部４９の外周縁が載置されて接着固定されており、筒状壁部４７ｃの前方側端部である段部（ダンパ支持部）４７ｅにはダンパ４６の外周部が接着固定されている。つまり、このスピーカ４１は、振動板４５の外周部が外周エッジ部４９を介して側壁部４７ｂ上に支持されていると共に、ダンパ４６の外周部が筒状壁部４７ｃ上に支持されており、かつ、エッジ支持部４７ｄに比してダンパ支持部４７ｅが径方向外側に配置されている。
【００２１】
なお、フレーム４７の材料は特に限定されず、ダイキャスト等からなる金属フレームであってもよいし、ＡＢＳ樹脂等からなる樹脂フレームであってもよい。また、側壁部４７ｂはその外径を筒状壁部４７ｃの外径よりも小径とすることで、筒状壁部４７ｃと同一の肉厚に形成することもできる。また、本実施例では、磁気回路４２が径方向に沿って着磁された円筒状のマグネット５０とポールピース部５１ａを有するヨーク５１とからなり、ポールピース部５１ａの外周面に固設したマグネット５０の外周面を磁気ギャップＧに対向させているが、他の構成、例えば軸線方向に沿って着磁されたマグネットをヨークとトッププレートとの間に介設して該トッププレートの内周面を磁気ギャップに対向せしめた磁気回路であってもよい。
【００２２】
なお、上記実施例では、便宜上図示上方を前方とし、図示下方を後方として説明しているが、この方向はスピーカ４１の放音面側とは無関係である。つまり、上記スピーカ４１では、底板部４７ａに多数の貫通孔が形成され、この底板部４７ａ側が放音面側となっているが、ダンパ４６や筒状壁部４７ｃに開口を形成して図示上方側を放音面とすることも可能である。
【００２３】
このように構成されたスピーカ４１は、図示せぬリード線を介してボイスコイル４４に音声電流が通電されると、電磁力によりボイスコイル４４が振動するので、ボビン４３を介して振動板４５が駆動されて振動し、ラジオ音声や各種記録媒体の再生音声などの拡声が行えるようになっている。
【００２４】
上述の如く本実施例に係るスピーカ４１は、振動板４５の内周部が外周エッジ部４９よりも前方に位置し、この振動板４５がボビン４３および磁気回路４２の一部を包囲するように配置されているため、全体の高さ寸法が著しく薄型化されている。また、振動板４５の外周エッジ部４９とダンパ４６の外周部とが共通のフレーム４７によって支持されており、ダンパ４６を支持するための専用の部材が不要であることから、部品点数の増加も回避されている。しかも、フレーム４７のうち外周エッジ部４９を支持するエッジ支持部４７ｄに比して、ダンパ４６の外周部を支持するダンパ支持部４７ｅが径方向外側に配置されているため、組立時には外周エッジ部４９とダンパ４６をフレーム４７に対して順次組み込んでいくことができ、組立性も良好である。したがって、この薄型のスピーカ４１は安価に製造することができる。
【００２５】
なお、本実施例のようにフレーム４７のダンパ支持部４７ｅをエッジ支持部４７ｄよりも径方向外側に配置させた構成において、振動系（ボイスコイル４４や振動板４５）を適正に振動させつつ支持可能な所望の剛性をダンパ４６に確保するためには、例えば、単位長さ当たりの剛性がやや大きいダンパを使用して該ダンパの径方向の寸法を長くしてもよいし、口径の大きなボビンを使用してダンパの内周部の位置を径方向外側へずらしてもよい。
【００２６】
図２は本発明の第２実施例に係るスピーカの要部断面図であり、図１に対応する部分には同一符号を付してある。
【００２７】
本実施例に係るスピーカ６１が前述した第１実施例と相違する点は、フレーム４７のうちダンパ４６の外周部を支持する部分の形状を異ならせたことにあり、それ以外の構成は基本的に同じである。すなわち、このスピーカ６１のフレーム４７では、底板部４７ａの周囲に立設された肉厚な側壁部４７ｂの前方側端部からさらに前方へ向かって、先端側が漸次大径となるテーパ状壁部４７ｆが一体に延設されており、このテーパ状壁部４７ｆ上がダンパ４６の外周部を接着固定するダンパ支持部４７ｅとなっている。そのため、側壁部４７ｂ上のエッジ支持部４７ｄに対して、テーパ状壁部４７ｆ上のダンパ支持部４７ｅは、第１実施例よりも径方向外側へ大きくずれた位置に配置されている。
【００２８】
【発明の効果】
本発明は、以上説明したような形態で実施され、以下に記載されるような効果を奏する。
【００２９】
振動板の内周部を外周エッジ部よりも前方に位置させると共に、該外周エッジ部だけでなく振動板の前方に配置したダンパの外周部も同一のフレームによって支持する構成にしたスピーカなので、ボビンを包囲するように振動板を配置させることができてスピーカ全体の薄型化が容易であり、かつ、ダンパを支持するための専用の部材が不要なため部品点数の増加も回避できる。また、フレームのうち外周エッジ部を支持するエッジ支持部に比して、ダンパの外周部を支持するダンパ支持部が径方向外側に配置されているため、組立時には外周エッジ部とダンパをフレームに対して順次組み込んでいくことができ、組立性も良好となる。
【図面の簡単な説明】
【図１】本発明の第１実施例に係るスピーカの断面図である。
【図２】本発明の第２実施例に係るスピーカの要部断面図である。
【図３】従来の一般的なスピーカを示す断面図である。
【図４】薄型スピーカの従来例を示す断面図である。
【符号の説明】
４１，６１  スピーカ
４２  磁気回路
４３  ボビン
４４  ボイスコイル
４５  振動板
４６  ダンパ
４７  フレーム
４７ｂ  側壁部
４７ｃ  筒状壁部
４７ｄ  エッジ支持部
４７ｅ  ダンパ支持部
４７ｆ  テーパ状壁部
４９  外周エッジ部
５０  マグネット
５１  ヨーク
Ｇ  磁気ギャップ
【図１】
2005027050.tif 000003
【図２】
2005027050.tif 000004
【図３】
2005027050.tif 000005
【図４】
2005027050.tif 000006